(57)【要約】【課題】医療用ＩＣタグリーダに好適な操作性・使い勝手のよさを提供する。【解決手段】携帯電話機はＩＣタグ読取部との間のペアリングを実行しＩＣタグ読取要求しそれを受信し表示する。それに基づいてサーバデータを要求しそれを受信し表示する。ＩＣタグ読取部はペアリングを確立しＩＣタグを読取りそれを送信する。読み取ったＩＣタグデータの内容は、限定されたもののみを表示、一部を強調表示、表示順を入れ替える。ＩＣタグ内データをあらかじめ登録した送信先へ自動的にメール送信する。【選択図】図１０
2010072689.tif 000002
【特許請求の範囲】
【請求項１】
医科材料又はＩＣ診察カードに設けられたＩＣタグの情報を読み取り、その読み取った情報に基づいてサーバコンピュータにアクセスすべく、携帯電話機とＩＣタグ読取部とが連携して構成される医療用ＩＣタグリーダであって、
前記携帯電話機は、
前記ＩＣタグ読取部との間に通信を確立するペアリング実行手段と、
前記ＩＣタグ読取部に対し、ＩＣタグの読取要求信号を送信するＩＣタグ読取要求手段と、
ＩＣタグを読み取った前記ＩＣタグ読取部からＩＣタグ内データを受信するＩＣタグ内データ受信手段と、
該ＩＣタグ内データ受信手段が受信したＩＣタグ内データを表示するＩＣタグ内データ表示手段と、
該ＩＣタグ内データ受信手段が受信したＩＣタグ内データと関連するサーバデータを要求すべく、前記サーバコンピュータに対してデータ要求信号を送信するサーバデータ要求手段と、
該サーバデータ要求手段が送信したデータ要求信号に基づいて、前記サーバコンピュータからのデータを受信するサーバデータ受信手段と、
該サーバデータ受信手段が受信したデータを表示するサーバデータ表示手段
とを有し、
前記ＩＣタグ読取部は、
前記ペアリング実行手段と協働して前記携帯電話機との間に通信を確立するペアリング確立手段と、
前記ＩＣタグ読取要求手段からの読取要求信号を受けてＩＣタグを読取るＩＣタグ読取手段と、
該ＩＣタグ読取手段が読取ったＩＣタグ内データを前記ＩＣタグ内データ受信手段に向けて送信するＩＣタグ内データ送信手段と
を有することを特徴とするＩＣタグリーダ。
【請求項２】
請求項１に記載したＩＣタグリーダであって、
前記携帯電話機は、
前記ＩＣタグ内データ表示手段が表示するＩＣタグ内データを限定するＩＣタグ内データ限定手段をさらに有し、
前記ＩＣタグ内データ表示手段は、該ＩＣタグ内データ限定手段により限定された内容のみを表示することを特徴とするＩＣタグリーダ。
【請求項３】
請求項１に記載したＩＣタグリーダであって、
前記携帯電話機は、
前記ＩＣタグ内データ表示手段が表示するＩＣタグ内データの一部を強調表示するＩＣタグ内データ強調手段をさらに有し、
前記ＩＣタグ内データ表示手段は、該ＩＣタグ内データ強調手段により特定された内容を強調表示することを特徴とするＩＣタグリーダ。
【請求項４】
請求項１に記載したＩＣタグリーダであって、
前記携帯電話機は、
前記ＩＣタグ内データ表示手段が表示するＩＣタグ内データの一部を画面の先頭に表示するＩＣタグ内データ表示順入れ替え手段をさらに有し、
前記ＩＣタグ内データ表示手段は、該ＩＣタグ内データ表示順入れ替え手段により特定された内容の表示順を入れ替えて表示することを特徴とするＩＣタグリーダ。
【請求項５】
請求項１に記載したＩＣタグリーダであって、
前記携帯電話機は、
前記ＩＣタグ内データ表示手段が表示するＩＣタグ内データの内容と、前記ＩＣタグ内データ受信手段が受信したＩＣタグ内データの内容との間の同期をとるＩＣタグ内データ同期手段をさらに有し、
前記ペアリング実行手段は前記携帯電話機と前記ＩＣタグ読取部との通信を保持し続け、前記ＩＣタグ内データ表示手段は前記ＩＣタグ内データ同期手段により同期をとった内容を表示することを特徴とするＩＣタグリーダ。
【請求項６】
請求項１に記載したＩＣタグリーダであって、
前記携帯電話機は、
前記ＩＣタグ内データ受信手段が受信したＩＣタグ内データをメール送信するＩＣタグ内データメール送信手段をさらに有し、
該ＩＣタグ内データメール送信手段は、前記ＩＣタグ内データ受信手段がＩＣタグ内データを取得することを受けて自動的にあらかじめ登録された送信先にＩＣタグ内データの内容を送信することを特徴とするＩＣタグリーダ。
【発明の詳細な説明】
【技術分野】
【０００１】
本発明は、ＩＣタグリーダを携帯電話機で操作する携帯電話アプリケーションソフトに関する。特に医療用ＩＣタグリーダを携帯電話機で操作するための携帯電話アプリケーションソフトに関するものである。
【背景技術】
【０００２】
特許文献１には、薬品等の医科材料について、ＩＣタグに記憶された情報、或いは、診察カードに記憶された情報よりも更に詳細な情報を得ることができるＩＣタグを用いた医科材料の物流システム及び診察システムが開示されている。
【０００３】
【特許文献１】特開２００７−１３３６３５号公報
【発明の開示】
【発明が解決しようとする課題】
【０００４】
特許文献１には、携帯端末（携帯電話機）にＩＣタグリーダ・ライタを内蔵し、又は外付けにより接続して設けることが開示されている。その際、携帯端末側に組み込むアプリケーションプログラムがいかなるものであるかによって、操作性、使い勝手のよさが左右される。
本発明が解決しようとする課題は、医療用ＩＣタグリーダに好適な操作性・使い勝手のよさを有する携帯電話アプリケーションプログラムを提供することにある。
【課題を解決するための手段】
【０００５】
上記課題を解決すべく本発明は、医科材料又はＩＣ診察カードに設けられたＩＣタグの情報を読み取り、その読み取った情報に基づいてサーバコンピュータにアクセスすべく、携帯電話機とＩＣタグ読取部とが連携して構成される医療用ＩＣタグリーダであって、前記携帯電話機は、前記ＩＣタグ読取部との間に通信を確立するペアリング実行手段と、前記ＩＣタグ読取部に対し、ＩＣタグの読取要求信号を送信するＩＣタグ読取要求手段と、ＩＣタグを読み取った前記ＩＣタグ読取部からＩＣタグ内データを受信するＩＣタグ内データ受信手段と、該ＩＣタグ内データ受信手段が受信したＩＣタグ内データを表示するＩＣタグ内データ表示手段と、該ＩＣタグ内データ受信手段が受信したＩＣタグ内データと関連するサーバデータを要求すべく、前記サーバコンピュータに対してデータ要求信号を送信するサーバデータ要求手段と、該サーバデータ要求手段が送信したデータ要求信号に基づいて、前記サーバコンピュータからのデータを受信するサーバデータ受信手段と、該サーバデータ受信手段が受信したデータを表示するサーバデータ表示手段とを有し、前記ＩＣタグ読取部は、前記ペアリング実行手段と協働して前記携帯電話機との間に通信を確立するペアリング確立手段と、前記ＩＣタグ読取要求手段からの読取要求信号を受けてＩＣタグを読取るＩＣタグ読取手段と、該ＩＣタグ読取手段が読取ったＩＣタグ内データを前記ＩＣタグ内データ受信手段に向けて送信するＩＣタグ内データ送信手段とを有する。
【０００６】
請求項２に記載したＩＣタグリーダは、請求項１に記載したＩＣタグリーダであって、前記携帯電話機は、前記ＩＣタグ内データ表示手段が表示するＩＣタグ内データを限定するＩＣタグ内データ限定手段をさらに有し、前記ＩＣタグ内データ表示手段は、該ＩＣタグ内データ限定手段により限定された内容のみを表示することを特徴とするものである。
【０００７】
請求項３に記載したＩＣタグリーダは、請求項１に記載したＩＣタグリーダであって、前記携帯電話機は、前記ＩＣタグ内データ表示手段が表示するＩＣタグ内データの一部を強調表示するＩＣタグ内データ強調手段をさらに有し、前記ＩＣタグ内データ表示手段は、該ＩＣタグ内データ強調手段により特定された内容を強調表示することを特徴とするものである。
【０００８】
請求項４に記載したＩＣタグリーダは、請求項１に記載したＩＣタグリーダであって、前記携帯電話機は、前記ＩＣタグ内データ表示手段が表示するＩＣタグ内データの一部を画面の先頭に表示するＩＣタグ内データ表示順入れ替え手段をさらに有し、前記ＩＣタグ内データ表示手段は、該ＩＣタグ内データ表示順入れ替え手段により特定された内容の表示順を入れ替えて表示することを特徴とするものである。
【０００９】
請求項５に記載したＩＣタグリーダは、請求項１に記載したＩＣタグリーダであって、前記携帯電話機は、前記ＩＣタグ内データ表示手段が表示するＩＣタグ内データの内容と、前記ＩＣタグ内データ受信手段が受信したＩＣタグ内データの内容との間の同期をとるＩＣタグ内データ同期手段をさらに有し、前記ペアリング実行手段は前記携帯電話機と前記ＩＣタグ読取部との通信を保持し続け、前記ＩＣタグ内データ表示手段は前記ＩＣタグ内データ同期手段により同期をとった内容を表示することを特徴とするものである。
【００１０】
請求項６に記載したＩＣタグリーダは、請求項１に記載したＩＣタグリーダであって、前記携帯電話機は、前記ＩＣタグ内データ受信手段が受信したＩＣタグ内データをメール送信するＩＣタグ内データメール送信手段をさらに有し、該ＩＣタグ内データメール送信手段は、前記ＩＣタグ内データ受信手段がＩＣタグ内データを取得することを受けて自動的にあらかじめ登録された送信先にＩＣタグ内データの内容を送信することを特徴とするものである。
【発明の効果】
【００１１】
本発明のＩＣタグリーダは、携帯電話機とＩＣタグ読取部との間でペアリングを実現したので、ＩＣタグ読取部はＩＣタグを読み取るのに適した位置、姿勢に置きながら、携帯電話機は操作者が操作しやすい持ち方で操作できる。
【００１２】
ＩＣタグ内データをすべてを表示せずに、限定した内容のみを表示するようにしたので、携帯電話機の表示画面が小さい場合であっても、欲しい情報がすぐに得られる。
【００１３】
ＩＣタグ内データのうちの一部を強調表示するので、操作者にわかりやすい。
【００１４】
ＩＣタグ内データの表示順を入れ替えるので、画面スクロールをせずに、欲しい情報を得ることができる。
【００１５】
ＩＣタグ内データ同期手段を設けたので、異なるＩＣタグを読み取った場合であっても、その内容を確認できる。
【００１６】
ＩＣタグ内データをメール送信する手段を設けたので、読取内容を遠隔地にあるコンピュータなどで即座に利用可能となる。
【発明を実施するための最良の形態】
【００１７】
携帯電話機使用者は、携帯電話機とは独立した筐体に格納されたＩＣタグ読取部をＩＣタグに近接させて用いる。携帯電話機とＩＣタグ読取部との間はＢｌｕｅＴｏｏｔｈ（ブルートゥース）を用いて通信し、ペアリングを実行する。ペアリングが実現している間は、携帯電話機の表示画面には、ＩＣタグ読取部のＭＡＣアドレスを表示するか、ＩＣタグ内データを読み取った内容を表示するかする。携帯電話機とＩＣタグ読取部との間の通信が何らかの理由により断たれた場合には、携帯電話機の表示画面には接続されていない旨を操作者に伝えるエラーメッセージ、例えば「未接続！ＩＣタグ読取部の電源を確認してください」などが表示されて注意を喚起する。
【００１８】
ＩＣタグ内データを読み取った内容は、予め登録されたメールアドレスに自動的に送信される。このことにより遠隔地で即座に利用可能となる。また、ＩＣタグ内データをすべて携帯電話機の表示画面に表示したのでは、何度もスクロールしてはじめて全部見ることのできるほどの情報量であるから、内容を限定して表示する、一部を強調表示する、表示順を入れ替えるなど、操作者の所望により、表示内容に変更を加える。なお、請求項及び解決手段の項で、「手段」と表示したのは、携帯電話機またはサーバコンピュータのそれぞれのＣＰＵが必要なプログラムを読み込んでそれを実行することによって実現する手段のことであり、ソフトウェア（コンピュータプログラム）とハードウェア（電子回路）とが協働して実現するものである。
【００１９】
以下、図面を参照しつつ、実施形態について説明する。図１は、医科材料の物流システム及び診察システム全体のハードウェア構成を示す概念図である。図１において、サーバコンピュータ７、コンピュータ１１、携帯電話機６は、通信回線網８、基地局９などの利用可能な通信設備を介してネットワークを実現しており、連携して働く。サーバコンピュータ７には、データベース１２が接続されており、コンピュータ１１又は携帯電話機６の操作者は、アクセス権限の認証手続を経てデータベース１２にアクセスし、必要なファイルを取り込んだり、情報を登録したりする。携帯電話機６は、好適には、病院内で使用が認められる微弱な電波を用いるＰＨＳ（Ｐｅｒｓｏｎａｌ  Ｈａｎｄｙｐｈｏｎｅ  Ｓｙｓｔｅｍ）（「ＰＨＳ」は株式会社ウィルコムの登録商標）である。特定の要件、事情などが満たされれば、他の携帯電話機を使える可能性もある。
【００２０】
図１のＩＣタグ読取部５，１０は、例えば１３．５６メガヘルツの周波数帯を用いて電波でＩＣタグ４（ＲＦＩＤタグ）とのやり取りをして、少なくともＩＣタグ４内の情報を読み込む機能をもつＩＣタグ読取部である。読み込み機能だけでなく、書き込み機能をも併せ持つものであってもよい。なお、「電波」という言葉を用いるが、厳密には電磁波であり近距離電波通信では電界よりも磁界の寄与が大きいと考えられ、磁気結合的または電磁結合的な要素が強いといえるかもしれないが、本明細書においては、便宜上「電波のやりとり」という説明のしかたを貫くこととする。
【００２１】
ＩＣタグ読取部５と携帯電話機６との間の通信、ＩＣタグ読取部１０とコンピュータ１１との間の通信は、ＢｌｕｅＴｏｏｔｈ（「ＢｌｕｅＴｏｏｔｈ」はアメリカ合衆国ワシントン州のブルートゥースエスアイジー社の登録商標である。）を用いる。他の周波数帯を用いる電波通信や、赤外線短距離通信（ＩｒＤＡ）などを用いる他の実施例も可能である。ＩＣタグ４とＩＣタグ読取部５との間でのやり取りが電波によるものであるから、それと干渉しない通信手段を選ぶ必要がある。
【００２２】
ＩＣタグ４は、医科材料２、ＩＣ診察カード３などに付着されている。ほかに医療機器などに付着したものであってもよい。また、医科材料は、歯科材料であってもよい。医科材料２に付着されたＩＣタグ４には、ＩＣタグ４の識別情報、医科材料の識別情報、医科材料の詳細情報、仕入先の情報などが格納される。
【００２３】
ＩＣ診察カード３は、それ自体がＩＣカードであることからＩＣチップを内蔵しているが、それとは別に更にＩＣタグ４を設けたものである。ＩＣカードとしてのＩＣチップ内には当該患者の診察情報、カルテ情報などが格納されるのに対し、ＩＣタグ４には、ＩＣタグ４のタグ識別情報、ＩＣ診察カード３の識別情報、ＩＣ診察カード３保有者の保険番号などが格納される。
【００２４】
図２（ａ）は、携帯電話機６の機能のうち本発明にかかる部分のみを描いた機能ブロック図である。そして、図２（ｂ）は、コンピュータ１１の機能のうち、本発明にかかる部分のみを描いた機能ブロック図である。ペアリング実行手段２０は、コンピュータ内のペアリング実行手段４０と同様に、ＩＣタグ読取部５内のペアリング実行手段と協働して、携帯電話機６とＩＣタグ読取部５との間のペアリングを確立し、維持する手段である。携帯電話機６とＩＣタグ読取部との間のカップリングがＢｌｕｅＴｏｏｔｈ（「ＢｌｕｅＴｏｏｔｈ」はアメリカ合衆国ワシントン州のブルートゥースエスアイジー社の登録商標である。）により行われる場合には、当該規格に基づいて通信が実行されて、ペアリングが実現される。このペアリングが実現して接続が維持されている間は、あたかも携帯電話機６とＩＣタグ読取部５とが、ケーブルでつながった機器であるのと同様に機能する。コンピュータ１１とＩＣタグ読取部５とがペアリングを実現している状態も同様である。
【００２５】
携帯電話機６とコンピュータ１１とは、本発明にかかる機能に着目すると、同様の機能を有する。いずれもＩＣタグ読取部とのカップリングが実現している状態で、ＩＣタグリーダとして機能する。したがって、図２（ａ）と図２（ｂ）の機能ブロック図は、同様の構成を有する。以下、煩雑を避けるため、携帯電話機６について、説明する。
【００２６】
ＩＣタグ読み取り要求手段２１は、携帯電話機６とＩＣタグ読取部５との間のペアリングが実現できていることを前提にして、携帯電話機６の操作者がＩＣタグの読取要求をＩＣタグ読取部５に対して送信することを実行する手段である。
【００２７】
ＩＣタグ内データ受信手段２２は、携帯電話機６とＩＣタグ読取部５との間のペアリングが実現できているときに、ＩＣタグ読取部５から携帯電話機６に向けてＩＣタグ内データが送信されるのを受信する手段である。
【００２８】
ＩＣタグ内データ表示手段２６は、ＩＣタグ内データ受信手段が受信した内容を表示する手段である。定期的に表示内容を更新して、今まさにＩＣタグ読取部５のＩＣタグ内データ格納手段５２に格納されているデータが表示されるようにし、携帯電話機６とＩＣタグ読取部５との間のペアリングが断絶された際には、「未接続！ＩＣタグ読取部の電源を確認してください。」などのエラーメッセージを表示する。
【００２９】
サーバデータ要求手段２３は、ＩＣタグ内データ受信手段２２が受信した内容にＵＲＬ情報が存在するのに基づいて、サーバデータを要求する手段である。サーバデータ要求手段２３の働きにより、携帯電話機６は、通信回線網８などを介してサーバコンピュータ７にアクセスする。
【００３０】
サーバデータ受信手段２４は、サーバコンピュータ７が送ってきたデータを受信して、その内容をサーバデータ表示手段２５が表示する。
【００３１】
図２（ｃ）は、サーバコンピュータの機能のうち本発明にかかる部分のみを描いた機能ブロック図である。携帯電話機６またはコンピュータ１１からのデータ要求を受信するデータ要求受信手段３１、それを受けてデータを抽出するデータ抽出手段３２、抽出したデータを携帯電話機６またはコンピュータ１１に送り返す抽出データ送信手段３３、必要ならばウェブページの形態でデータを提供するＷｅｂページ提供手段３４とを有する。
【００３２】
図２（ｄ）は、ＩＣタグ読取部の機能のうち本発明にかかる部分のみを描いた機能ブロック図である。ＩＣタグ読取部５は、携帯電話機６またはコンピュータ１１とＢｌｕｅｔｏｏｔｈ（「Ｂｌｕｅｔｏｏｔｈ」はアメリカ合衆国ワシントン州の法人が所有する登録商標である。）によりペアリングを実現してＩＣタグリーダとして機能する。対携帯電話機アンテナ４９（コンピュータとのやりとりも可能である）、対ＩＣタグアンテナ５９と、二つのアンテナを有して二つの通信を実現する。いずれの通信も近距離の電波通信であるから、例えばループ状のアンテナが用いられる。
【００３３】
ペアリング実行手段５０は、携帯電話機６またはコンピュータ１１との間で近距離無線通信によるペアリングを実現して、あたかもケーブルにてつながれているかのようにＩＣタグ読取部５を機能させるものである。ＩＣタグ読取手段５３は、医科材料または診察カードに付着しているＩＣタグに格納されている情報を読み取る手段である。読み取られた内容はＩＣタグ内データ格納手段５２に格納される。
【実施例１】
【００３４】
以下、図３を参照しつつ、実施例１、すなわち医科材料の物流管理システムに本発明を適用した場合について説明する。
図３は、医科材料の物流管理に関して機器の操作手順にしたがってシステムの処理の順序及び内容を記載したブロック図である。図３の携帯電話機６の操作手順に「ＳＴＡＲＴ」とあるが、そこに至る以前に、携帯電話機６とＩＣタグ読取部５との間のカップリングは実現できているものとする。
【００３５】
携帯電話機６の操作者は、携帯電話機６を操作してＩＣタグ読取要求手段２１により、ＩＣタグ読取部５に対し、ＩＣタグ４の読取要求信号を送信する（ステップＳ１）。前記操作者は、好適には、携帯電話機６を所持する病院関係者または診療所関係者である。
【００３６】
ＩＣタグ読取部５は、読み取り要求信号を受信すると、医科材料２に設けられたＩＣタグ４に対し電波を発信する（ステップＳ２）。ＩＣタグ４はＩＣタグ読取部５からの電波を受けると（ステップＳ３）、パッシブタイプのタグの場合はそれにより電力を供給されて、必要な回路を働かせてＩＣタグ内データをＩＣタグ読取部５に向けて発信する（ステップＳ４）。ＩＣタグ内データは、具体的には、ＩＣタグ４の識別番号、医科材料２の情報、及び、医科材料２の情報が含まれるＷｅｂページ情報のＵＲＬ等である。ＩＣタグ読取部５は、ＩＣタグ４からＩＣタグ内データを受信すると（ステップＳ５）、受け取ったＩＣタグ内データを携帯電話機６に送信する（ステップＳ６）。
【００３７】
携帯電話機６は、ＩＣタグ内データ受信手段２２によって、ＩＣタグ読取部５からのＩＣタグ内データを受信すると（ステップＳ７）、ＩＣタグ内データ表示手段２６によって、受信したＩＣタグ内データを表示する（ステップＳ８）。
【００３８】
そして、携帯電話機６の操作者がさらなる詳細情報を必要としない場合は、処理を終了する（「詳細情報要否」判断からＮｏをたどってＥＮＤに行き着く）。
【００３９】
携帯電話機６の操作者が詳細情報を必要とする場合は、サーバデータ要求送信手段２３によって、ＩＣタグ内データと関連するサーバデータを要求すべく、データ要求信号を通信回線網８を介しサーバコンピュータ７に対して送信する（ステップ９）。
【００４０】
サーバコンピュータ７は、データ要求受信手段３１によって、データ要求信号を受信すると（ステップＳ１０）、データ抽出手段３２によって、データ要求信号に基づきサーバコンピュータ７に備えられたデータベース１２内のサーバデータを抽出する（ステップＳ１１）。
【００４１】
このとき、前記データ要求信号がＵＲＬであった場合は、Ｗｅｂページ提供手段３４によってあらかじめ生成されたＵＲＬに関連付けられたＷｅｂページ情報がデータベース１２から抽出される。Ｗｅｂページ情報内にＵＲＬに関連するサーバデータも組み込まれている。
【００４２】
また、前記データ要求信号が医科材料識別番号であった場合は、データ抽出手段３２によって、それらの番号に関連するサーバデータをデータベース１２から抽出し、Ｗｅｂページ提供手段３４によって、抽出したサーバデータを含むＷｅｂページ情報が生成される。
【００４３】
そして、抽出されたデータは、抽出データ送信手段３３によって携帯電話機６に送信される（ステップＳ１２）。
【００４４】
携帯電話機６は、サーバデータ受信手段２４によってサーバコンピュータ７からのデータを受信すると（ステップＳ１３）、サーバデータ表示手段２５によってそのデータを表示する（ステップＳ１４）。
【００４５】
なお、データがＷｅｂページ情報で受信された場合は、携帯電話機６内のサーバデータ表示手段２５が備えたブラウザ機能によってＷｅｂページを表示し、さらに、Ｗｅｂページ内にリンク機能が埋め込まれている場合は、リンク機能を作動させて、関連する他のＷｅｂページ情報を受信し、他のＷｅｂページを表示することも可能である。
【００４６】
このようにして携帯電話機とＩＣタグ読取部とをペアリングさせたＩＣタグリーダを用いた医科材料の物流システムによれば、薬品等の医科材料について、ＩＣタグ４内に格納された情報よりもさらに詳細な情報を得ることができる。
【００４７】
また、ＩＣタグに記憶された情報がＵＲＬを含む場合、ＵＲＬによって、要求するデータが含まれるＷｅｂページを要求し、必要なデータを得ることができる。
【００４８】
さらに、ＩＣタグに記憶された情報が、医科材料識別番号である場合、医科材料識別番号によって、サーバデータを要求し、必要なデータを確実に得ることができる。
【００４９】
さらにまた、前記サーバコンピュータ７は、データベース１２内のデータをＷｅｂページによって提供するＷｅｂページ提供手段３４を備え、抽出データ送信手段３３は、Ｗｅｂページ提供手段３４が提供するＷｅｂページを送信するように構成されているので、インターネットを利用する簡易なシステムでデータを提供できるとともに、Ｗｅｂページによって見やすく表示できる。
【００５０】
そして、前記携帯電話機６は、受信したＩＣタグ内データを表示するＩＣタグ内データ表示手段２６を備えているので、ＩＣタグ内データを携帯電話機６の表示画面に表示して見て、内容を確認することができる。
【００５１】
また、前記携帯電話機６に備えられるＩＣタグ読取部５は、携帯電話機６にＢｌｕｅｔｏｏｔｈ（「Ｂｌｕｅｔｏｏｔｈ」はアメリカ合衆国ワシントン州の法人が所有する登録商標である。）で接続されるから、不要なときは使わずにしまっておける。
【００５２】
なお、抽出された前記サーバデータは、Ｗｅｂページ情報内に組み込まれることなく、たとえばメール送信されてもよい。
【００５３】
また、前記データ要求信号がＵＲＬである場合に、先に、このＵＲＬに関連付けられた入力用Ｗｅｂページ情報をサーバコンピュータ７から携帯電話機６に送信し、携帯電話機６上で、入力用Ｗｅｂページに医科材料識別番号を入力し、入力用Ｗｅｂページに入力された医科材料識別番号がサーバコンピュータ７に受信されたとき、サーバコンピュータ７は、Ｗｅｂページ提供手段３４によって医科材料識別番号と関連するサーバデータを組み込んだＷｅｂページ情報を生成するように構成してもよい。
【００５４】
さらに、前記データ要求信号が、医科材料識別番号である場合に、先に入力用Ｗｅｂページを要求し、入力用ＷｅｂページにＩＣタグ４の医科材料識別番号を入力して送信するようにしてもよい。
【００５５】
また、携帯電話機６とおよそ同様に、コンピュータ１１によっても、ＩＣタグ読取部５を介して、医科材料２に付着したＩＣタグ４内のＩＣタグデータを受信することが可能であり、ＩＣタグ内データによって、前記サーバコンピュータ７からのデータを受信することもできる。その作用効果は携帯電話機６の場合と同様である。
【００５６】
さらにまた、医科材料２にＩＣタグ４が付着している例について説明したが、ＩＣタグ４が付着されるのは、医科材料２に限定されるものではなく他の物品材料であってもよい。医療機器について用いる実施例は、実施例３として後述する。
【実施例２】
【００５７】
以下、図４を参照しつつ、実施例２、すなわちＩＣ診察カードシステムに関して、本発明を適用した場合について説明する。
図４は、ＩＣ診察カードシステムに関して機器の操作手順にしたがって処理の順序及び内容を記載したブロック図である。携帯電話機６とＩＣタグ読取部５との間のＢｌｕｅｔｏｏｔｈ（「Ｂｌｕｅｔｏｏｔｈ」はアメリカ合衆国ワシントン州の法人が所有する登録商標である）によるペアリングが実現できていることを前提にして、携帯電話機６の操作者が携帯電話機６を操作して、ＩＣタグ読取要求手段２１により、ＩＣタグ読取部５に対し、ＩＣタグ４の読み取り要求信号を送信する（ステップＳ２１）。
【００５８】
ＩＣタグ読取部５は、読み取り要求信号を受信すると（あるいは、携帯電話機６との間のペアリングが実現すると自動的に）ＩＣ診察カード３に付着しているＩＣタグ４に対し電波を発信する（ステップＳ２２）。ＩＣタグ４は、ＩＣタグ読取部５からの電波を受信すると（ステップＳ２３）、ＩＣタグ内データを発信する（ステップＳ２４）。ＩＣタグ内データは、ＩＣタグ４の識別番号、診察カード保有者の保険番号、または診察カード保有者の診察情報が含まれるＷｅｂページ情報のＵＲＬ等である。
【００５９】
ＩＣタグ読取部５はＩＣタグ４からＩＣタグ内データを受け取ると（ステップＳ２５）、それを携帯電話機６に送信する（ステップＳ２６)。
【００６０】
携帯電話機６は、ＩＣタグ内データ受信手段２２によって、ＩＣタグ読取部５からのＩＣタグ内データを受信すると（ステップＳ２７）、サーバデータ要求送信手段２３によって、ＩＣタグ内データと関連するサーバデータを要求すべくデータ要求信号を通信回線網８を介しサーバコンピュータ７に対して送信する（ステップＳ２８）。
【００６１】
データ要求信号は、ＩＣタグ４の識別番号及び診察カード保有者の保険番号、または診察カード保有者の診察情報が含まれるＷｅｂページ情報のＵＲＬである。
【００６２】
前記サーバコンピュータ７は、データ要求受信手段３１によって、データ要求信号を受信すると（ステップＳ２９）、データ抽出手段３２によって、データ要求信号に基づきサーバコンピュータ７に備えられたデータベース１２内のデータを抽出する（ステップＳ３０）。
【００６３】
このとき、前記データ要求信号がＵＲＬであった場合は、Ｗｅｂページ提供手段３４によって予め生成されたＵＲＬに該当するＷｅｂページ情報が抽出される。
【００６４】
また、前記データ要求信号がＩＣ診察カード識別番号及び保険番号であった場合は、それらの番号に相当するサーバデータを抽出し、Ｗｅｂページ提供手段３４によってＷｅｂページ情報内に組み込まれる。
【００６５】
そして、抽出データ送信手段３３によって抽出したデータは携帯電話機６に送信される（ステップＳ３１）。
【００６６】
携帯電話機６は、サーバデータ受信手段２４によってサーバコンピュータ７からのデータを受信すると（ステップＳ３２）、サーバデータ表示手段２５によってその受け取ったデータを表示する（ステップＳ３３）。
【００６７】
なお、データがＷｅｂページ情報で受信された場合は、携帯電話機６内のブラウザ機能によってＷｅｂページを表示し、さらにＷｅｂページ内にリンク機能が埋め込まれている場合は、リンク機能を作動させて、関連する他のＷｅｂページ情報を再受信し、他のＷｅｂページを表示することも可能である。
【００６８】
このようにして、この診察システムによれば、ＩＣタグに記憶された情報、あるいは診察カードに記憶された情報よりも更に詳細な患者の診察情報を得ることができる。
【００６９】
なお、前記データ要求信号がＵＲＬである場合に、先に、このＵＲＬに関連付けられた入力用Ｗｅｂページ情報をサーバコンピュータ７から携帯電話機６に送信し、携帯電話機６上で、入力用Ｗｅｂページに識別番号及び保険番号を入力し、入力用Ｗｅｂページに入力された識別番号及び保険番号がサーバコンピュータ７に受信されたとき、サーバ７は、Ｗｅｂページ提供手段３４によって識別番号及び保険番号と関連するサーバデータを組み込んだＷｅｂページ情報を生成するように構成してもよい。
【００７０】
また、データ要求信号が、ＩＣタグ４の識別番号及び診察カード保有者の保険番号である場合は、先に入力用Ｗｅｂページを要求し、入力用ＷｅｂページにＩＣタグ４の識別番号及び診察カード保有者の保険番号を入力して送信するように構成してもよい。
【００７１】
さらに、前記携帯電話機６を用いる場合と同様に、前記コンピュータ１１によっても、ＩＣ診察カード３に設けられたＩＣタグ４内のＩＣタグ内データを受信することが可能であり、前記サーバコンピュータ７からのデータを受信することができるが、その作用効果は、携帯電話機６を用いる場合と同様である。
【実施例３】
【００７２】
以下、図５から図１７までを参照しつつ、実施例３、すなわち医療機器情報通知システムについて本発明を適用した場合について、説明する。
【００７３】
この医療機器情報通知システム全体は、データベース１２につながるサーバコンピュータ７、そのサーバコンピュータ７に通信回線網８と基地局９を介してつながる携帯電話機６、その携帯電話機６に近距離電波通信でペアリングして接続するＩＣタグ読取部５、個々の医療機器に付着されたＩＣタグにより構成される。全体のハードウェア構成は、図１に示すものと同様である。
【００７４】
また、携帯電話機６、サーバコンピュータ７、ＩＣタグ読取部５の機能ブロック図は、図２に描かれたものと同様である。
【００７５】
さらに、実施例３の処理の手順、内容は、図３に示されたものとほぼ同じであり、違うのはわずかに一点、医科材料２が医療機器に変わるだけである。したがって、新たな図面を起こさずに、図３の医科材料２とあるのを、「医療機器」と読み替えて参照しつつ、実施例３について説明する。
【００７６】
図５から図１６までは、医療機器情報通知アプリ、すなわち医療機器情報通知システムを実現するための携帯アプリ（「携帯アプリ」は、携帯電話機に組み込んで動作させるコンピュータプログラムをいう。）を起動して動作させるときに携帯電話機６の表示画面に表示される画面のハードコピーである。
【００７７】
図２（ａ）に示された携帯電話機６のペアリング実行手段２０、ＩＣタグ読み取り要求手段２１、ＩＣタグ内データ受信手段２２、サーバデータ要求手段２３、サーバデータ受信手段２４、サーバデータ表示手段２５、ＩＣタグ内データ表示手段２６は、医療機器情報通知アプリと、携帯電話機の基本ソフト（基本となるコンピュータプログラム）、ブラウザソフトなどの他の携帯アプリ、Ｂｌｕｅｔｏｏｔｈ（「Ｂｌｕｅｔｏｏｔｈ」は、アメリカ合衆国ワシントン州の法人が所有する登録商標である。）関連の回路をはじめとする携帯電話機のハードウェアが協働して実現するものである。
【００７８】
同様に、前述した実施例１では、「医科材料物流アプリ」を携帯電話機６にインストールして、それと、基本ソフトと、ブラウザなどの他の携帯アプリと、通信関連の回路をはじめとする携帯電話機のハードウェアが協働して、図２（ａ）に示された各手段を実現する。
【００７９】
また、前述した実施例２では、「診察カードアプリ」を携帯電話機６にインストールして、それと、基本ソフトと、ブラウザなどの他の携帯アプリと、通信関連の回路をはじめとする携帯電話機のハードウェアが協働して、図２（ａ）に示された各手段を実現する。
【００８０】
図５は、「医療機器情報通知アプリ」を最初に起動したとき初回時のみ表示される「ネットワーク接続確認画面」のハードコピーである。「このアプリは定期的に、ネットワーク通信、近距離無線通信、電話番号の参照通知、アドレス帳の参照を行います。よろしいですか？」と携帯電話機６の操作者に問いかける画面である。
【００８１】
ここでネットワーク通信は、携帯電話機６のインターネット接続機能を利用してサーバコンピュータ７に接続したり、Ｗｅｂブラウズしたりすることを指している。パケット通信料が課金されること、携帯電話の圏外にいると通信ができないことで滞る場合があること、などに操作者の注意を喚起するものである。
【００８２】
近距離無線通信は、上述したＢｌｕｅｔｏｏｔｈ（「Ｂｌｕｅｔｏｏｔｈ」はアメリカ合衆国ワシントン州の法人が所有する登録商標である。）などの無線通信により携帯電話機６とＩＣタグ読取部５との間でペアリングを実現して接続することを指している。ペアリングを一度実行すれば、このアプリを終了するまで、ペアリングによる接続を維持する。それにより頻繁に携帯電話機６とＩＣタグ読取部５との間で通信することになるので、電池消耗などへの配慮を促すべく注意を喚起するものである。
【００８３】
図５の「電話番号の参照通知、アドレス帳の参照」は、読み取ったＩＣタグ内データを、予め登録した第三者にメール送信できるので、その登録をしておくことによって、自動的にメール送信される可能性について注意を促すものである。
【００８４】
図５の問いかけを受けて、携帯電話機６の操作者は、三つの選択肢（終了することを入れると４つの選択肢）から一つを選択して、実行する。三つの選択肢の選択は上下の矢印ボタン、または数字ボタンの押し下げによりなされる。選択肢を選んでから実行ボタンを押し下げることで、次の画面へと遷移する。
【００８５】
図５で、１の「はい」を選んで実行すると、図６に示すメインメニューに遷移する。この場合は、次回この「医療機器情報通知アプリ」を起動したときにも、ネットワーク接続確認画面が表示される。
【００８６】
図５で、２の「はい。次回から非表示」を選んで実行すると、やはり図６に示すメインメニューに遷移するが、次回起動時からはこの画面が表示されない。操作者は、パケット通信、ペアリング接続、自動メール送信などのリスクを承知してこの「医療機器情報通知アプリ」を使用するものとの了解がなされる。
【００８７】
図５で、３の「いいえ」を選んで実行すると、医療機器情報通知アプリを終了する。または、「終了していいですか？」の確認画面を出して操作間違いを救済するよう構成することもできる。
【００８８】
図６は、「医療機器情報通知アプリ」のメインメニュー画面のハードコピーである。メニュー１の「作業開始」は、医療機器情報通知アプリの作業の中心となるものである。図７のサーバ認証画面、図８の状況選択画面、図９のＩＣタグ読み取り画面のエラーメッセージ、図１０のＩＣタグ読み取りが正常になされた状態の「ＩＣタグ読み取り画面」、以上４つの画面がこのメニュー１の「作業開始」に属する。
【００８９】
図６に示すメインメニューのうち、メニュー２の「ＩＣタグ読取部設定」は、携帯電話機６とＩＣタグ読取部５との間のペアリングに関するものである。図１２のＩＣタグ読取部設定の画面がこのメニュー２に属する。図１１は、ＩＣタグ読取部の外観を示す図である。
【００９０】
図６に示すメインメニューのうち、メニュー３の「動作設定」は、サーバコンピュータ７から取り込むマスタファイルの設定及びメールサーバ設定に関するものである。図１３の動作設定画面（取り込み前）及び図１４の動作設定画面（取り込み終了後）がこのメニューに属する。
【００９１】
図６に示すメインメニューのうち、メニュー４の「メール設定」は、読み取ったＩＣタグ内データを自動的に送信する先を登録するものである。図１５のメール設定画面がこのメニューに属する。
【００９２】
図１６は、「医療機器情報通知アプリ」の画面表示上のボタンと携帯電話機上のボタンとの対応図である。各画面のハードコピーにおいて、下方に三つのボタンが表示されているが、それは携帯電話機６の上部にある三つのボタンにそれぞれ対応していることを示している。
【００９３】
図１７は、４つのメニューと各画面のハードコピーとの関係をまとめた対応図である。
【００９４】
以上述べた医療機器情報通知アプリの概略を踏まえて、このアプリの詳細な動作について、さらに詳しく説明する。
【００９５】
この医療機器情報通知アプリは、病院などでさまざまな医療機器が用いられているのを管理する責任をもつ者またはその管理を委託された担当サービス員（以下「医療機器管理者」という）によって利用されるアプリである。医療機器管理者は、定期的に自分の管理化のいくつかの医療機器に異常がないか、部品交換の時期が来ていないか、定期点検をすべき時期が近づいていないか、当該機器の製造メーカから何か通知が来ていないか、などを管理して保守する立場にある。
【００９６】
医療機器管理者は、自分に与えられた役割を果たすべく、医療機器の調子を見てから、その医療機器に付着されているＩＣタグ４の近くにＩＣタグ読取部５を置いてその電源を投入し、携帯電話機６を取り出して「医療機器情報通知アプリ」を起動する。
【００９７】
すでに二度目以降の起動であり、最初の起動時に「ネットワーク接続確認画面」を次回から非表示としていた場合には、図５の画面は表示されずに、図６のメインメニュー画面が表示される。
【００９８】
前述したように図６のメインメニュー画面に表示されている４つのメニューのうち、「作業開始」はもっとも中心となるものであり、他の三つのメニューの「ＩＣタグ読取部設定」、「動作設定」、「メール設定」がすべて適切な設定を完了している場合には、メニュー１「作業開始」から入る作業で大部分の作業が完了するものである。
【００９９】
図６のメインメニューでメニュー１「作業開始」を選んで実行ボタンを押すと、図７のサーバ認証画面に遷移する。担当者欄とパスワード欄に医療機器管理者が入力をする。担当者欄への入力は、あらかじめ携帯電話機６に取り込んでおいた認証マスタファイルから選ぶことによりなされる。認証マスタファイルの取り込みがなされていない場合には、メインメニュー３の「動作設定」（図１３）により取り込み処理を実行する。
【０１００】
サーバ認証画面で担当者欄とパスワード欄の入力がなされて決定ボタンが押されると、携帯電話機６の機能によりネットワーク通信がなされてサーバコンピュータ７への接続をし、認証手続をする。認証成功後、図８の状況選択画面に遷移する。当該医療機器の状態が「故障」、「問題なし」などの状況を示す項目の中のどれにあたるかを選ぶ画面である。選択肢は、事前にサーバコンピュータ７から取り込んである状況マスタファイルから選択する。状況マスタファイルの取り込みがなされていない場合には、メインメニュー３の「動作設定」（図１３）により取り込み処理を実行する。
【０１０１】
図８の状況選択画面で状況の項目を選択した後に、決定ボタンを押すことにより、図１０のＩＣタグ読み取り画面に遷移する。ＩＣタグ読取部５の電源の投入がなされていないとＩＣタグ内データの読み込みができないので、図８には念のためＩＣタグ読取部５の電源が投入されていることを確認させる表示がなされている。
【０１０２】
図１０のＩＣタグ読み取り画面では、ＩＣタグ読取部５が読み取ったＩＣタグ４の内部に格納されているデータが、携帯電話機６に受け取られて、表示されている。読み取り年月日時分秒、製造メーカー名，ＩＤ番号、ＵＲＬ、商品コード、品名、製造年月日、ロット番号、クラス分類、機器管理分類、保管年数、消費期限、医療機関コード、医療機関名称の１４項目がここでは、表示されている。なお、これらの１４項目のうち、最後の医療機関名称は、医療機関コードから医療機関マスタファイルを参照して表示している。
【０１０３】
携帯電話機６の表示画面は大きさに限りがあること、医療機器管理者の保守作業にとっては項目の全てが表示されるとかえって確認作業に手間取り作業効率上不利であること、その医療機器管理者のおかれている個々の状況によりそのつど確認を必要とする項目は異なる可能性があること、などに鑑みて、図１０の画面で表示する項目は、全ての表示をせずに項目を限定すること、どれを表示するかをユーザが選択できること、強調表示したい項目を、色を変えて表示したり、太線にして表示したり、白黒反転表示したりすること、表示順を入れ替えて表示することができるようにしてある。図示を省略したが、ユーザがその設定をできる画面をも用意している。
【０１０４】
医療機器管理者は、連続して複数の医療機器の保守作業をすると考えられるので、ＩＣタグ読取部５が他の医療機器に付着されているＩＣタグ４を読み取ると、携帯電話機６がＩＣタグ内データの表示を更新する必要がある。そのためにＩＣタグ内データの内容は一定周期で同期を取ることになる。
【０１０５】
図１０のＩＣタグ読み取り画面の下方に表示されている右ボタンは、図１０では空欄になっている。ＩＣタグ読取部５に接続できない場合は、この右ボタンには「接続」のメニューが表示される。そして、その「接続」が実行されると、図９の画面が表示される。「未接続」のエラーメッセージが表示され、「ＩＣタグ読取部の電源を確認してください」と注意を促す。
【０１０６】
図９の画面が表示されている状態で、医療機器管理者は、ＩＣタグ読取部の電源投入を確認して、左ボタン「再試行」を押すと、携帯電話機６は、ＩＣタグ読取部５とのペアリングを再び実行する。そして、接続が完了すると図１０に遷移する。
【０１０７】
ＩＣタグ読取部５からＩＣタグ内データを読み込んだ場合には、その情報は、担当者名、医療機器の状況項目とともに、あらかじめ登録されたメールアドレスにより、自動的にメール送信される。メールアドレスの登録は、図６のメインメニュー画面の中のメニュー４の「メール設定」による。
【０１０８】
図１２のＩＣタグ読取部設定画面は、図６のメインメニュー画面の中のメニュー２を選択したときに遷移する画面である。携帯電話機６とＩＣタグ読取部５との間の近距離無線通信によるペアリングは、前述した画面９のＩＣタグ読み取り画面から左ボタン「再試行」を押して実行することもできるが、メインメニューからペアリングを実行するのは、メニュー２を選択して図１２のＩＣタグ読取部設定による。
【０１０９】
図１２のＩＣタグ読取部設定の画面では、既に携帯電話機６とＩＣタグ読取部５との間のペアリングがなされている場合には、ＭＡＣアドレスを表示する。図１２では、１６進法表示で１２桁の数字が２桁ずつに区切って表示している。
【０１１０】
図１２の画面で、まだペアリングがなされていない状態で、「接続」ボタンが押されると、携帯電話機６は、近距離電波通信によりＩＣタグ読取部５につけられたデバイス名をたよりにペアリングすべき相手方の機器を検索する。そしてペアリングが成功するとＭＡＣアドレスを表示する。もしも複数のＩＣタグ読取部５が見つかった場合は、最初に見つかったそれとペアリングを行う。「戻る」ボタンでメインメニュー（図６）に戻る。
【０１１１】
図１３の動作設定画面は、図６のメインメニューでメニュー３の「動作設定」を選択したときに遷移する画面である。「取込対象マスタ」の欄では、それぞれのマスタファイルの状況を表示している。「名称」は、マスタファイルのファイル名である。「対象」は、取込対象マスタの件数を示している。「取込済」は、既に取込済のファイルの件数を示している。マスタファイルがない場合は、文字を灰色にして表示している。
【０１１２】
図１３の「メールサーバー設定」の欄では、メール設定マスタの内容を表示している。動作設定画面で、「取込」ボタンを押すことによりサーバコンピュータ７の所定のフォルダからマスタファイルを読み込む。読み込むフォルダ、マスタファイル名は予め定められたとおりに固定されている。
【０１１３】
取込終了後の画面が図１４である。取り込みに成功したマスタファイルの文字を青で、取込失敗したマスタファイルの文字を赤で表示する。取込済みの件数が更新される。
【０１１４】
図１５は、メインメニュー（図６）でメニュー４の「メール設定」を選択した際に遷移する画面である。メールアドレスの入力欄が３つ表示されている。表示画面下方には、「戻る」、「編集」、「登録」の三つのメニューが表示されている。「編集」ボタンを押すとメールアドレスを変更できる。アドレスは手入力、もしくは携帯電話機のアドレス帳から設定することができる。「登録」で変更内容を確定する。「戻る」を押すと、更新がなされずにメインメニュー（図６）に戻る。
【０１１５】
登録するメールアドレスは、医療機器管理者の上司、サービスセンター、コールセンターなどが考えられる。そして、故障などの理由でサービスマンを呼ぶ必要があるときに、迅速に対応するためのきっかけとして、このメールが有意義である。
【０１１６】
実施例３では、携帯アプリを中心に説明したが、実施例３で述べた携帯アプリは、実施例１や実施例２にも若干の変更を加えて応用可能である。ｓ
【産業上の利用可能性】
【０１１７】
携帯電話機とそれと近距離電波通信でペアリングしたＩＣタグ読取部とをサーバコンピュータと連携させて用いるシステムに応用可能である。
【図面の簡単な説明】
【０１１８】
【図１】医科材料の物流システム及び診察システム全体のハードウエア構成を示す概念図である。
【図２】（ａ）携帯電話機の機能のうち本発明にかかる部分のみを描いた機能ブロック図である。（ｂ）コンピュータの機能のうち本発明にかかる部分のみを描いた機能ブロック図である。（ｃ）サーバコンピュータの機能のうち本発明にかかる部分のみを描いた機能ブロック図である。（ｄ）ＩＣタグ読取部の機能のうち本発明にかかる部分のみを描いた機能ブロック図である。
【図３】医科材料の物流管理に関して機器の操作手順にしたがって処理の順序及び内容を記載したブロック図である。
【図４】ＩＣ診察カードシステムに関して機器の操作手順にしたがって処理の順序及び内容を記載したブロック図である。
【図５】「医療機器情報通知アプリ」を最初に起動したとき初回時のみ表示される「ネットワーク接続確認画面」のハードコピーである。
【図６】「医療機器情報通知アプリ」のメインメニュー画面のハードコピーである。
【図７】「医療機器情報通知アプリ」のサーバ認証画面のハードコピーである。
【図８】「医療機器情報通知アプリ」の状況選択画面のハードコピーである。
【図９】「医療機器情報通知アプリ」のＩＣタグ読み取り画面のエラーメッセージのハードコピーである。
【図１０】「医療機器情報通知アプリ」のＩＣタグ読み取りが正常になされた状態の「ＩＣタグ読み取り画面」のハードコピーである。
【図１１】ＩＣタグ読取部の外観を示す図である。
【図１２】「医療機器情報通知アプリ」のＩＣタグ読み取り部
【図１３】「医療機器情報通知アプリ」の動作設定画面（取り込み前）のハードコピーである。
【図１４】「医療機器情報通知アプリ」の動作設定画面（取り込み終了後）のハードコピーである。
【図１５】「医療機器情報通知アプリ」のメール設定画面のハードコピーである。
【図１６】「医療機器情報通知アプリ」の画面表示上のボタンと携帯電話機上のボタンとの対応図である。
【図１７】４つのメニューと各画面のハードコピーとの関係をまとめた対応図である。
【符号の説明】
【０１１９】
１  医科材料の物流システム及び診察システム
２  医科材料
３  ＩＣ診察カード
４  ＩＣタグ
５，１０  ＩＣタグ読取部
６  携帯電話機
７  サーバコンピュータ
８  通信回線網
９  基地局
１１  コンピュータ
１２  データベース
【図１】
2010072689.tif 000003
【図２】
2010072689.tif 000004
【図３】
2010072689.tif 000005
【図４】
2010072689.tif 000006
【図５】
2010072689.tif 000007
【図６】
2010072689.tif 000008
【図７】
2010072689.tif 000009
【図８】
2010072689.tif 000010
【図９】
2010072689.tif 000011
【図１０】
2010072689.tif 000012
【図１１】
2010072689.tif 000013
【図１２】
2010072689.tif 000014
【図１３】
2010072689.tif 000015
【図１４】
2010072689.tif 000016
【図１５】
2010072689.tif 000017
【図１６】
2010072689.tif 000018
【図１７】
2010072689.tif 000019